(57)【要約】【課題】内容物を最後まで安定した状態で注ぎ出すことができ、しかも搬送時の胴部の変形を防止可能な簡易袋容器の提供【解決手段】口元隅角部１０ａの上縁シール部１０と胴部側縁３ａとに、略円形状の注出口部１５を形成し且つ前記注出口部１５の変形を防止するための三角形形状の絞り部１３ａ，１３ｂがそれぞれ設けられており、カットラインＣは、絞り部１３ｂにおける下端点１７と、絞り部１３ａにおける上端点１９とを通過するように、斜めに且つ直線状に設けられ、さらに絞り部１３ｂを、前記上縁シール部１０と前記カットラインＣとの交点１８にて当該絞り部１３ｂの鈍角部分が形成されるような鈍角三角形形状とすることにより、両絞り部１３ａ，１３ｂの間の内部空間を略筒形状に形成させるように構成する。【選択図】　図１
2004051111.tif 000002
【特許請求の範囲】
【請求項１】
フレキシブルフィルムからなり、筒形状の胴部と、前記胴部上縁の開口した口元部と、前記胴部の下縁の閉口した底部とを備え、前記口元部から所定量の内容物を充填した後に前記口元部をシールして上縁シール部とすることで前記内容物を密封し、また口元隅角部に設けられたカットライン上を開封して注出口部を形成することにより前記内容物を注出することができる簡易袋容器において、
前記口元隅角部の上縁シール部と胴部側縁とに、略円形状の注出口部を形成し且つ前記注出口部の変形を防止するための三角形形状の絞り部がそれぞれ設けられており、
前記カットラインは、上縁シール部の絞り部における下端点と、胴部側縁の絞り部における上端点とを通過するように、斜めに且つ直線状に設けられ、
前記上縁シール部に設けられた絞り部を、前記上縁シール部と前記カットラインとの交点にて当該絞り部の鈍角部分が形成されるような鈍角三角形形状とすることにより、容器開封時に上縁シール部の絞り部と胴部側縁の絞り部との間の内部空間を略筒形状に形成させるように構成したことを特徴とする簡易袋容器。
【発明の詳細な説明】
【０００１】
【発明の属する技術分野】
本発明は、例えばフレキシブルな樹脂フィルム（合成樹脂フィルム）単層材、またはその樹脂フィルムに多種類の樹脂フィルムを積層したフレキシブルな積層材などから成る簡易袋容器に関するものである。
【０００２】
【従来の技術】
以下、従来の簡易袋容器について、図５から図８を参照して説明する。
【０００３】
＜簡易袋容器の構成＞
図において、符号Ａはポリエチレン、ポリプロピレン、ナイロン等の樹脂フィルム（以下、フレキシブルフィルムという）から成り、図８に示す筒形状の胴部５と、前記胴部５上縁において開口した状態の口元部１と、前記胴部５の下縁において閉口している底部２とから成る簡易袋容器である。この簡易袋容器Ａは、通常、図５及び図８（Ａ）に示すように平面形状に折り畳まれた状態にあり、液状内容物を充填すると、図６，図７及び図８（Ｂ）に示すような立体形状となる。
【０００４】
以下、この従来の簡易袋容器Ａの構成について詳細に説明する。前記簡易袋容器Ａは、図８（Ａ）に示すように、１枚のフレキシブルフィルムの略中央部分をＷ字形状に折り込むことにより、表側部分１００と、逆Ｖ字形状の底側部分１０２と、裏側部分１０１とから成る。もしくは前記簡易袋容器Ａは、１枚のフレキシブルフィルムの表側部分１００の下端部と、同じく１枚のフレキシブルフィルムの裏側部分１０１の下端部との間に、同じく１枚のフレキシブルフィルムを逆Ｖ字形状に折り曲げて形成された底側部分１０２の両下端部を接続して、図８（Ａ）に示すような構成となるものである。
【０００５】
さらにより具体的に前記簡易袋容器Ａの構成について説明すると、従来の前記簡易袋容器Ａは、容器Ａの上縁が開口された口元部１（後述のように上縁開口部を密封するためにシールした場合は上縁シール部１０）と、容器Ａの下縁部を図８（Ａ）のようにＷ字形状に形成するＷ底部２と、当該Ｗ底部２から前記口元部１までの左右両側（即ち、胴部５の両側縁であって、表側部分１００と裏側部分１０１との間、表側部分１００と底側部分１０２との間、裏側部分１０１と底側部分１０２との間）をそれぞれシールするサイドシール部３と、前記Ｗ底部２の下縁をシールする下縁シール部６と、前記Ｗ底部２の１本の山折り曲げ線７の両端と前記サイドシール部３との交点から，前記Ｗ底部２の２本の谷折り曲げ線（前記下縁シール部６の内側の縁）８までの間を斜めにシールする左右のＷ底シール部９と、前記サイドシール部３の片側あるいは両側に設けた湾曲凹線より成る保持凹部４とを備えて成る。
【０００６】
＜内容物の充填，密封手順＞
次に、上述のような構成の従来の簡易袋容器Ａに内容物を充填する手順を説明する。前記簡易袋容器Ａへ内容物を充填する場合、通常、図５及び図８（Ａ）のように平面形状に折り畳まれた状態の簡易袋容器Ａ内に、口元部１から内容物を充填する。すると、その簡易袋容器Ａはフレキシブルな材質から成るため、その平面形状の簡易袋容器Ａは立体形状に構成される。具体的には、図６，図７及び図８（Ｂ）に示すように、簡易袋容器Ａの表側部分１００及び裏側部分１０１の中央部分が前後方向に膨らんで拡がると共に、左右両サイドシール部３と表側部分１００及び裏側部分１０１の左右両側部分とが左右方向（上述の前後への膨らみ方向に対してほぼ直交する方向）に引き込まれ、且つ図８（Ｂ）のようにＷ底部２に容器の底が略水平に形成されて、平面形状の簡易袋容器Ａが立体形状に構成される。またこの時、前記保持凹部４が容器内側に食い込み、立体形状の簡易袋容器Ａの左右両サイドシール部３にそれぞれ凹部１１が形成される。こうして所望の量の内容物が充填された後、立体形状の簡易袋容器Ａの前記口元部１において、表側部分１００と裏側部分１０１とをシールすることにより、簡易袋容器Ａ内に内容物を密封することとなる。
【０００７】
＜簡易袋容器の開封手順＞
また、以上のように内容物を密封，収容する簡易袋容器Ａを開封する場合は、口元部１を密封する上縁シール部１０からサイドシール部３にかけて、図６中の二点鎖線で示すカットラインＣ上をハサミやカッター等でカットして開封する。このようにカットラインＣ上をカットすることで、図７に示すように注出口部１２が形成されるため、内容物を注出口部１２から容器外部へ注出することが可能となる。
【０００８】
以上のような簡易袋容器Ａは、フレキシブルな材質から成るので、瓶などの容器に比べて安全性の確保された容器である。また、内容物を容器外部へ注ぎ出した後には、図５及び図８（Ａ）のように平面状に折り畳んで捨てることができるため、ブローボトルや瓶等の容器と比較して嵩張ることがなく、ごみの容積を小さくすることができ、ごみ処理が容易である。以上のような観点から、一般的には上述のような簡易袋容器Ａが広く使用されている。
【０００９】
【発明が解決しようとする課題】
しかしながら、フレキシブルフィルムから成る簡易袋容器Ａは容器自体が変形し易いため、特に子供や手の不自由な方が他の容器に内容物を注ぐ際に、簡易袋容器Ａを保持しにくく、その結果、他の容器に内容物を安定した状態で注ぎ込むことは困難であった。また、簡易袋容器Ａにおける上述のような従来の構成では、開封された注出口部１２から内容物を注ぎ出す際に、内容物の内圧（内容物が簡易袋容器Ａの内面側にかかる圧力）の圧力差により、注出口部１２の開口形状が簡単に変形してしまう。このため、従来の簡易袋容器Ａから内容物を他の容器に注ぐ際、この従来の簡易袋容器Ａをしっかり保持して慎重に注ごうとしても、注出口部１２が任意方向に歪む等、簡単に変形してしまい、その結果、内容物が他の容器の外側に零れる等して、注出口部１２から内容物を注ぎ出すことが困難であった。
【００１０】
また、内容物を注ぎ易くするために注出口部１２の開口面積を大きくすると、注出口部１２がさらに変形し易くなって内容物がさらに外に零れ易くなり、注出口部１２の開口面積を小さくすると、注出口部１２を開口し難くなり、特に粘性の高い液状内容物は注出口部１２から流れ出ず、さらには内容物の注ぎ出しに伴って簡易袋容器Ａが縮小変形して取り扱いにくくなる等の不都合が生じてしまう。
【００１１】
また、従来の簡易袋容器Ａはフレキシブルフィルムから成るため、搬送時に内容物が揺れ、簡易袋容器Ａの入目線（簡易袋容器Ａ中の内容物の上面）近傍から上方にかけての部分が変形し、その結果、商品価値が低下する等の不都合があった。
【００１２】
そこで本発明の目的は、上記不都合を改善し、内容物を最後まで安定した状態で注ぎ出すことができ、搬送時の胴部の変形を防止することができ、粘性の高い液状内容物の容器としても最適な簡易袋容器を提供することにある。
【００１３】
【課題を解決するための手段】
上記目的を達成するため、本発明は、フレキシブルフィルムからなり、筒形状の胴部と、前記胴部上縁の開口した口元部と、前記胴部の下縁の閉口した底部とを備え、前記口元部から所定量の内容物を充填した後に前記口元部をシールして上縁シール部とすることで前記内容物を密封し、また口元隅角部に設けられたカットライン上を開封して注出口部を形成することにより前記内容物を注出することができる簡易袋容器において、前記口元隅角部の上縁シール部と胴部側縁とに、略円形状の注出口部を形成し且つ前記注出口部の変形を防止するための三角形形状の絞り部がそれぞれ設けられており、前記カットラインは、上縁シール部の絞り部における下端点と、胴部側縁の絞り部における上端点とを通過するように、斜めに且つ直線状に設けられ、前記上縁シール部に設けられた絞り部を、前記上縁シール部と前記カットラインとの交点にて当該絞り部の鈍角部分が形成されるような鈍角三角形形状とすることにより、容器開封時に上縁シール部の絞り部と胴部側縁の絞り部との間の内部空間を略筒形状に形成させるように構成したことを特徴とする。
【００１４】
【発明の実施の形態】
以下、本発明の一実施形態に係る簡易袋容器について、図１から図４を参照して説明する。図１から図４は本発明の一実施形態に係る簡易袋容器を示している。尚、図中、図５から図８と同符号の部分は何れも同一のものであるとする。
【００１５】
＜本実施形態に係る簡易袋容器の構成＞
図において、本発明の簡易袋容器１Ａは、厚さが約０．１３〜０．１５ｍｍのフレキシブルフィルムから成り、従来の簡易袋容器Ａと同様に、表側部分１００と、裏側部分１０１と、及び表側部分１００と裏側部分１０１との間であり且つ容器下部に備えられた逆Ｖ字形状の底側部分１０２とから構成されている。また簡易袋容器１Ａは、容器１Ａの上縁をシールしてなる上縁シール部１０と、下縁部がＷ字形状に形成されてなるＷ底部２と、前記上縁シール部１０から前記Ｗ底部２までの左右両側部分において表側部分１００と裏側部分１０１、表側部分１００と底側部分１０２、及び裏側部分１０１と底側部分１０２の各部分をそれぞれシールするサイドシール部３ａ，３ｂとを備えている。
【００１６】
そして、図１に示すように、上縁シール部１０（本実施形態では、容器左上側）並びに胴部５の側縁（本実施形態では、容器左上側のサイドシール部３ａ）には、図３の略円形状の注出口部１５を形成し且つ当該注出口部１５の変形を防止するための第１絞り部１３ａ，１３ｂが、それぞれ１つずつ設けられている。この上縁シール部１０の第１絞り部１３ｂは三点１６，１７，１８を結ぶ鈍角三角形形状をなし、一方の左側サイドシール部３ａに設けられた第１絞り部１３ａは三点１９，２０，２０ａを結ぶ三角形形状をなしている。また、この第１絞り部１３ａは、後述する第２絞り部１４ａと一体となって、四点１９，２０，２１，２２を結ぶ細長い四角形状の絞り部を構成している。また、本実施形態の簡易袋容器１Ａには、上縁シール部１０の第１絞り部１３ｂにおける下端点１７と、左側サイドシール部３ａに設けられた第１絞り部１３ａにおける上端点１９とを通過するように、斜めに直線状のカットラインＣが設けられており、さらに上縁シール部１０とカットラインＣとの交点１８（第１絞り部１３ｂの左上点１８）において、図１のように当該第１絞り部１３ｂの鈍角が形成されている。
【００１７】
このような本実施形態の簡易袋容器１Ａにおいて、特に重要な構成上の特徴は、上縁シール部１０の第１絞り部１３ｂにおいて、カットラインＣ上にある第１絞り部１３ｂの下端点１７が、当該第１絞り部１３ｂの最左端点となっており、且つ第１絞り部１３ｂの左上点１８において、当該第１絞り部１３ｂの鈍角が形成されていることである。このようにカットラインＣが設けられた口元隅角部１０ａにおいて、上記のように下端点１７が最左端点でもあるように鈍角三角形形状の第１絞り部１３ｂを形成すると、点１６と点１７との間の辺と、点１９と点２０との間の辺とが容器内部に向かって末広形状を成すこととなる。この末広形状により、開封時の容器内部において、図３の如く２つの第１絞り部１３ａ，１３ｂの間に略筒形状の空間が形成され、後述の如く内容物を最後まで安定した状態で注ぎ出すことが可能となる。
【００１８】
また、本実施形態の簡易袋容器１Ａには、胴部５の左右両側のサイドシール部３ａ，３ｂにおける略中間部分に、搬送時の内容物の揺れによる胴部５の変形防止のための第２絞り部１４ａ，１４ｂがそれぞれ一つずつ設けられている。左側サイドシール部３ａにおける第２絞り部１４ａは、四点２０，２０ａ，２１，２２を結ぶ細長い四角形状をなすものであり、この第２絞り部１４ａの上方部分は、図１のように前記第１絞り部１３ａと一体となっている。
【００１９】
一方、胴部５の右側サイドシール部３ｂにおける第２絞り部１４ｂは、三点２３，２４，２５を結ぶ細長い略三角形形状をなすものであり、この三点２３，２４，２５を結ぶラインに沿って表側部分１００と裏側部分１０１とがシールされている。尚、この第２絞り部１４ｂの下端点２５は、左側サイドシール部３ａにおける第２絞り部１４ａの下端点２２と同様の高さに位置している。また、左右両側の第２絞り部１４ａ，１４ｂの絞り込み点２１，２４においても双方が略同一の高さに位置している。
【００２０】
ここで、本実施形態の簡易袋容器１Ａにおいて、上記三点２３，２４，２５を結ぶラインに沿ってシールするラインシール部１４ｃと、前記右側サイドシール部３ｂと、前記上縁シール部１０とで囲まれた領域には、指を差し込んで当該簡易袋容器１Ａを保持するための指掛け孔２６が設けられている。尚、本実施形態では二個の指掛け孔２６が設けられており、簡易袋容器１Ａを保持する場合には、人差し指と中指とをそれぞれの指掛け孔２６に差し込むことによって、特に子供や手の不自由な者にとっても、この簡易袋容器１Ａをしっかりと保持することが可能となる。
【００２１】
また本実施形態において、上縁シール部１０側の第１絞り部１３ｂのカットラインＣ上にはカットラインＣ上をカットし易いようにノッチ２７が設けられている。尚、このノッチ２７は特に設けられていなくとも良い。
【００２２】
さらに本実施形態の簡易袋容器１Ａにおいて、左側サイドシール部３ａの第２絞り部１４ａの直下には四点２２，２９，３０，３１を結ぶ略台形形状をなす第３絞り部２８ａが、また右側サイドシール部３ｂの第２絞り部１４ｂの直下には四点２５，３２，３３，３４を結ぶ略台形形状をなす第３絞り部２８ｂが設けられている。この左右両サイドシール部３ａ，３ｂの第３絞り部２８ａ，２８ｂによって、内容物を充填密封した状態の簡易袋容器１Ａには、図２及び図３のように第３絞り部２８ａ，２８ｂが大きく容器内側に食い込んだ状態の中間凹部３５が形成される。この中間凹部３５によって容器胴部の保形作用が生じるため、簡易袋容器１Ａは、内容液の内圧及び輸送中の振動により発生する力に対して強い容器となる。このように簡易袋容器１Ａは、容器の重心バランスの大きな変化に強い容器となるため、内容物を注出することで内容量が少量となっても、容器の重心バランスが保たれる。また、この保形作用により、特に子供や手の不自由な者が内容物を注ぐ場合においても、簡易袋容器Ａをしっかりと保持し易くなるため、他の容器に内容物を安定した状態で注ぎ込むことが可能となる。また、内容物を収容した簡易袋容器１Ａを載置する場合においては、安定した状態で載置することができる。
【００２３】
＜本実施形態に係る簡易袋容器の充填密封＞
以上のような構成の簡易袋容器１Ａにおいて、内容物を充填，密封する場合について説明する。この場合、まず開口する口元部１から内容物を簡易袋容器１Ａ内に充填し、その口元部１をシールして上縁シール部１０とすることによって、図２に示すように簡易袋容器１Ａ内に内容物が充填密封される。またこの時、充填，密封された簡易袋容器１Ａでは、第２絞り部１４ａ，１４ｂの下端点２２，２５の部分が内容物の充填密封に伴って当該簡易袋容器１Ａの内側に引っ張られ、この第２絞り部１４ａ，１４ｂに保形作用が生じる。こうして第２絞り部１４に生じた保形作用により、簡易袋容器１Ａの搬送時に内容物が揺れることによって簡易袋容器１Ａの入目線Ｂ近傍から上方にかけての部分が変形するという不都合が解消され、商品価値の低下防止が実現される。
【００２４】
＜本実施形態に係る簡易袋容器の開封＞
また、内容物を他の容器に注ぐために簡易袋容器１Ａを開封する場合は、ノッチ２７からカットラインＣ上をカットすればよい。このようにカットすることで、図３に示すように、第１絞り部１３ａ，１３ｂにより、略円形状の注出口部１５が容易に形成される。また、容器内部において、２つの第１絞り部１３ａ，１３ｂの間に略筒形状の空間が形成され、さらに前記注出口部１５は、第１絞り部１３ａ，１３ｂにて生じる保形作用により変形することがないため、口栓と同等の効果を達成することができる。
【００２５】
つまり、前記注出口部１５は、内容物の注出の際に、略筒形状の空間が形成されると共に、内容物の内圧の圧力差により容易に変形することがないため、簡易袋容器１Ａから他の容器（図示せず）に内容物を注ぐ際に、注出口部１５が任意方向に歪む等して内容物が他の容器の外に零れたりする虞がない。
【００２６】
また、この注出口部１５は変形し難いので、注出口部１５を従来よりも大きく開口することができ、粘性の高い液状内容物を注出する場合や、例えば業務用容器として簡易袋容器１Ａを用いる際のように多量の注出量が必要な場合でも注出口部１５から容易に注ぎ出すことが可能となる。さらに、本実施形態の簡易袋容器１Ａは、図１のように、第１絞り部１３ｂの下端点１７が最左端点でもあり、且つ第１絞り部１３ｂの左上点１８において当該第１絞り部１３ｂの鈍角が形成されるように鈍角三角形形状の第１絞り部１３ｂを形成しているため、内容物の注出時に容器外部の空気が注出口部１５から簡易袋容器１Ａ中にスムーズに流入することができる。これより、内容物をスムーズに且つ安定した状態で注ぎ出すことが可能となり、且つ簡易袋容器１Ａが縮小変形することなく取り扱い易くなる。以上より、本実施形態の簡易袋容器１Ａによれば、袋容器に口栓を設けずとも、内容物を最後まで安定した状態で注ぎ出すことができる。
【００２７】
また、一旦開封した簡易袋容器１Ａにおいて、前記略筒形状の空間を指などで挟み、注出口部１５の上縁から１０乃至１３ｍｍ下方の位置を当該注出口部１５の上線と平行に折り曲げると、その折り曲げられた容器表側部分１００と裏側部分１０１とが強制的に密着させられて一方に折り曲げられることによって、この密着状態の二枚のフィルム１００，１０１が折り曲げられた方向に「くの字」状に折り曲がった状態は、二つの第１絞り部１３ａ，１３ｂによって保持されるため、簡易袋容器１Ａの注出口部１５を再密封することが可能となる。以上により、本実施形態の簡易袋容器１Ａによれば、例えば注出口部１５を開口後、冷蔵庫等に保存した場合、冷蔵庫内に残存する異臭などに影響されることなく、簡易袋容器１Ａを再密封状態で持続的に自立させて保存することが可能となる。
【００２８】
ここで、本実施形態の簡易袋容器１Ａによれば、内容物をスムーズに且つ安定した状態で注ぎ出すことができるが、このためには簡易袋容器１Ａにおける各部のサイズを以下のように設定することが最良である。このサイズについて、簡易袋容器１Ａの内容量を１リットルとした場合の最適なサイズ設定を、図４を参照して説明する。まず、左側サイドシール部３ａの第１絞り部１３ａの上端点１９と、上縁シール部１０と左側サイドシール部３ａとの交点Ｐ（口元隅角部１０ａの上端点Ｐ）との間の距離Ｌ１を２５ｍｍとし、第１絞り部１３ｂの左上点１８と前記交点Ｐとの間の距離Ｌ２を３０ｍｍとし、且つカットラインＣ上における前記第１絞り部１３ａの上端点１９と前記第１絞り部１３ｂの下端点１７との間の直線距離Ｄを２５ｍｍとする。また、左側サイドシール部３ａの第１絞り部１３ａの絞り込み点２０を、左側サイドシール部３ａから容器内側３ｍｍの位置に設定する。
【００２９】
さらに、左側サイドシール部３ａに設けられた第２絞り部１４ａの下端点２２を、前記交点Ｐから１１７ｍｍ下方に設定すると共に、左側サイドシール部３ａの第２絞り部１４ａの絞り込み点２１を、第１絞り部１３ａの下端点２０ａより６０〜７０ｍｍ下方で且つ左側サイドシール部３ａから容器内側１０ｍｍの位置に設定する。また、右側サイドシール部３ｂに設けられた第２絞り部１４ｂの下端点２５は、左側サイドシール部３ａに設けられた第２絞り部１４ａの下端点２２と略同一高さ（即ち、交点Ｐから１１７ｍｍ下方の位置）になるように設定すると共に、右側サイドシール部３ｂの第２絞り部１４ｂの絞り込み点２４についても、左側サイドシール部３ａの第２絞り部１４ａの絞り込み点２１と略同一高さ（即ち、交点Ｐから９７ｍｍ下方の位置）で且つ右側サイドシール部３ｂから容器内側１０ｍｍの位置に設定する。
【００３０】
さらに、左右両側サイドシール部３ａ，３ｂに設けられた第３絞り部２８ａ，２８ｂの下端点３１，３４を、第２絞り部１４ａ，１４ｂの下端点２２，２５よりもそれぞれ５０ｍｍ下方の位置に設定すると共に、左右両側サイドシール部３ａ，３ｂの第３絞り部２８ａ，２８ｂの絞り込み点２９，３２を、各第２絞り部１４ａ，１４ｂの下端点２２，２５より３０ｍｍ下方で且つサイドシール部３から容器内側５ｍｍの位置に設定する。
【００３１】
また、１リットル収容可能な簡易袋容器１Ａでは、胴部５における図４中の幅Ｗを１４０ｍｍと設定しており、このサイズに設定することにより、簡易袋容器１Ａは１リットルの内容物を充填可能としている。また、簡易袋容器１Ａを２リットル収容可能とする場合は、幅Ｗ＝１９０ｍｍ、距離Ｌ１＝３５ｍｍ、距離Ｌ２＝４０ｍｍ、直線距離Ｄ＝４５ｍｍと設定することで２リットル収容可能となる。尚、各部のサイズは、容器に充填させる液状内容物の内容量、フィルムの材質あるいはフィルムの厚さによって適宜設定可能である。
【００３２】
【発明の効果】
以上に述べたように、本発明の簡易袋容器は、特に子供や手の不自由な者にとってもしっかりと保持し易く、且つ注出口部が変形せず、さらには内容物の注出時に容器外部の空気が注出口部から簡易袋容器内にスムーズに流入することができるため、他の容器に内容物を安定した状態で注ぎ込むことが可能となると共に、粘性の高い液状内容物の容器としても最適なものとなる。さらに、搬送時の胴部の変形を防止することができる。また、冷蔵庫等でこの簡易袋容器を再密封状態で自立させて保存することも可能となる。
【図面の簡単な説明】
【図１】本発明の一実施形態に係る簡易袋容器が平面形状に折り畳まれた状態の正面図である。
【図２】本実施形態に係る簡易袋容器内に内容物を充填密封した状態の図である。
【図３】図２の簡易袋容器を開封した状態の図である。
【図４】本実施形態に係る簡易袋容器において設定される容器サイズの一例を示す図である。
【図５】従来の簡易袋容器を示し、平面形状に折り畳まれた状態の正面図である。
【図６】図５に示す簡易袋容器中に内容物を充填密封した状態の斜視図である。
【図７】図６に示す簡易袋容器に注出口部を形成した状態の斜視図である。
【図８】（Ａ）は平面形状に折り畳まれた状態の各部を示した概略横断面図、（Ｂ）は簡易袋容器中に内容物を充填密封した状態の各部を示した概略横断面図である。
【符号の説明】
１Ａ…簡易袋容器、１…口元部、２…Ｗ底部、３ａ，３ｂ…サイドシール部、５…胴部、６…下縁シール部、７…山折り曲げ線、８…谷折り曲げ線、９…Ｗ底部シール部、１０…上縁シール部、１０ａ…口元隅角部、１３ａ，１３ｂ…第１絞り部、１４ａ，１４ｂ…第２絞り部、１５…注出口部、２２，２５…第２絞り部の下端点、２８ａ，２８ｂ…第３絞り部、Ｂ…入目線、Ｃ…カットライン、Ｐ…上縁シール部とサイドシール部３ａとの交点（口元隅角部１０ａの上端点Ｐ）。
【図１】
2004051111.tif 000003
【図２】
2004051111.tif 000004
【図３】
2004051111.tif 000005
【図４】
2004051111.tif 000006
【図５】
2004051111.tif 000007
【図６】
2004051111.tif 000008
【図７】
2004051111.tif 000009
【図８】
2004051111.tif 000010